(57)【要約】【課題】建物の美観を損ねないようにすることができる雨戸装置を提供する。【解決手段】建物外壁１に形成された開口部２の周囲にガイドレール３を設ける。雨戸４をガイドレール３に沿ってスライド移動自在に取り付けると共に雨戸４が開口部２に嵌り込んで周囲の建物外壁１と面一になる状態と開口部２から屋外側に突出する状態との間で移動自在に形成する。開口部２の周囲に配設される建物外壁１の外装材５と同等の外観を有する外装材１０を用いて雨戸４の屋外面を形成する。【選択図】図１
2008248532.tif 000002
【特許請求の範囲】
【請求項１】
建物外壁に形成された開口部の周囲にガイドレールを設け、雨戸をガイドレールに沿ってスライド移動自在に取り付けると共に雨戸が開口部に嵌り込んで周囲の建物外壁と面一になる状態と開口部から屋外側に突出する状態との間で移動自在に形成し、開口部の周囲に配設される建物外壁の外装材と同等の外観を有する外装材を用いて雨戸の屋外面を形成して成ることを特徴とする雨戸装置。
【請求項２】
ガイドレールを建物外壁の目地部に設けて成ることを特徴とする請求項１に記載の雨戸装置。
【請求項３】
開口部の上側に設けたガイドレールを、建物外壁の屋外面に化粧幕板を取り付けるための取付部材として用いて成ることを特徴とする請求項１又は２に記載の雨戸装置。
【請求項４】
開口部の下側に設けたガイドレールを、水切り部材として用いて成ることを特徴とする請求項１乃至３のいずれか一項に記載の雨戸装置。
【発明の詳細な説明】
【技術分野】
【０００１】
本発明は、風雨・寒気・盗難などを防ぐために、建物の縁側の開口部分や窓や扉の屋外側に配設される雨戸装置に関するものである。
【背景技術】
【０００２】
雨戸装置としては雨戸と戸袋とレールとを備えたものが提案されている（例えば、特許文献１参照）。雨戸はレールに保持されており、戸袋に収納される状態と窓の屋外側に位置する状態との間でスライド移動自在に形成されている。
【０００３】
この種の雨戸装置には木製、アルミニウム製、スチール製、樹脂製のものがあるが、建物外壁との素材が異なるために、住宅などの建物の美観（特にデザイン性）が低下することがあった。また、雨戸装置には、引き戸、折り戸、シャッター、スライディングなどの各種タイプがあるが、いずれの場合も雨戸を収納するための戸袋やレールが建物外壁の屋外側に常時（雨戸を閉めた状態でも開けた状態でも）残っているために、これによっても建物の美観を損なうという問題があった。
【特許文献１】特開２０００−２７４５２号公報
【発明の開示】
【発明が解決しようとする課題】
【０００４】
本発明は上記の点に鑑みてなされたものであり、建物の美観を損ねないようにすることができる雨戸装置を提供することを目的とするものである。
【課題を解決するための手段】
【０００５】
本発明の請求項１に記載の雨戸装置は、建物外壁１に形成された開口部２の周囲にガイドレール３を設け、雨戸４をガイドレール３に沿ってスライド移動自在に取り付けると共に雨戸４が開口部２に嵌り込んで周囲の建物外壁１と面一になる状態と開口部２から屋外側に突出する状態との間で移動自在に形成し、開口部２の周囲に配設される建物外壁１の外装材５と同等の外観を有する外装材１０を用いて雨戸４の屋外面を形成して成ることを特徴とするものである。
【０００６】
本発明の請求項２に記載の雨戸装置は、請求項１において、ガイドレール３を建物外壁１の目地部６に設けて成ることを特徴とするものである。
【０００７】
本発明の請求項３に記載の雨戸装置は、請求項１又は２において、開口部２の上側に設けたガイドレール３を、建物外壁１の屋外面に化粧幕板７を取り付けるための取付部材８として用いて成ることを特徴とするものである。
【０００８】
本発明の請求項４に記載の雨戸装置は、請求項１乃至３のいずれか一項において、開口部２の下側に設けたガイドレール３を、水切り部材９として用いて成ることを特徴とするものである。
【発明の効果】
【０００９】
請求項１の発明では、雨戸４を開口部２に嵌め込んで閉めた状態で、建物外壁１と雨戸４との区別がつきにくくなり、しかも、建物外壁１の屋外面に戸袋やシャッターボックスなどの雨戸４の収納部分を設ける必要がなく、建物外壁１に外観の異なる部分や無駄な部材による出っ張り部分などの違和感が生じる部分が無くなって、建物の美観を損ねないようにすることができるものである。
【００１０】
請求項２の発明では、ガイドレール３を目立たないようにすることができ、建物の美観を損ねないようにすることができるものである。
【００１１】
請求項３の発明では、ガイドレール３と取付部材８とを兼用することができ、部品点数の増加を抑えてコストアップを少なくすることができるものである。
【００１２】
請求項４の発明では、ガイドレール３と水切り部材９とを兼用することができ、部品点数の増加を抑えてコストアップを少なくすることができるものである。
【発明を実施するための最良の形態】
【００１３】
以下、本発明を実施するための最良の形態を説明する。
【００１４】
本発明の雨戸装置は、図１に示すように、ガイドレール３と雨戸４とを備えて形成されている。
【００１５】
ガイドレール３にはアッパーレール３ａ、ロアレール３ｂ及びセンターレール３ｃの三種類ある。
【００１６】
アッパーレール３ａはＨ型鋼などを用いて形成されるものであって、図２に示すように、下方に向かって開口するガイド溝２９が全長にわたって設けられている。また、アッパーレール３ａは建物外壁１に形成した開口部２の上側開口縁部の全長に沿って略水平に配設されるものである。アッパーレール３ａはほぼ全長にわたって直線状に形成されているが、その一端部は屋内側に向かってカーブする屈曲部２０として形成されている。また、屈曲部２０の途中には保持部材２１が設けられている。このアッパーレール３ａは化粧幕板７を建物外壁１に取り付けるための取付部材８として兼用することができる。化粧幕板７はアッパーレール３ａの上面と屋外側面とを覆うように配設されており、これにより、アッパーレール３ａがほぼ全長にわたって化粧幕板７で覆われて露出しなくなり、建物外壁１の美観を損ねないようにすることができる。尚、建物外壁１の開口部２の屋内側にサッシ窓などの窓４０が配設されている。
【００１７】
ロアレール３ｂは鋼板等を折り曲げて形成されるものであって、建物外壁１に形成した開口部２の下側開口縁部の全長に沿って略水平に配設されるものである。ロアレール３ｂはほぼ全長にわたって直線状に形成されている。このロアレール３ｂは水切り部材９として兼用することができる。すなわち、ロアレール３ｂを固定片２２と、固定片２２の下端から屋外側に向かって略水平に突出する支持片２３と支持片２３の屋外側端部から斜め下方に向かって突出する水切り片２４とから形成することができる。そして、固定片２２を建物の柱や梁などの構造材２５に固定することによって、ロアレール３ｂを配設することができる。このようなロアレール３ｂを用いることによって、水切り片２４から建物外壁１の水切りを行うことができ、防水性を高くすることができる。
【００１８】
センターレール３ｃはＣ型鋼などを用いて形成されるものであって、屋外方向に向かって開口するガイド溝３６が全長にわたって形成されている。また、センターレール３ｃは建物外壁１に形成した開口部２の側方において略水平に配設されるものである。センターレール３ｃの開口部２側の端部は開口部２に臨ませて開放されている。また、このセンターレール３ｃは建物外壁１の屋外面に形成される目地部６に嵌め込んで配設することができる。すなわち、建物外壁１は建物の柱などの構造材２５の屋外側に多数枚の外装材５、５…を鉛直方向及び水平方向に並べて取り付けることによって形成することができるが、鉛直方向に隣接する外装材５、５の接続部分には目地部６が形成される。そして、この目地部６にセンターレール３ｃを嵌め込む（埋め込む）ことによって、センターレール３ｃを建物外壁１の屋外面に目立たないように配設することができ、建物外壁１の美観を損ねないようにすることができる。尚、図２中の符号３７は胴縁あって、この胴縁３７を介して外装材５、５…が構造材２５に取り付けられている。
【００１９】
雨戸４としてはサイディング材を用いることができる。すわなち、雨戸４は接続した複数枚の外装材１０、１０…の裏面（屋内側面）に樹脂発泡体や無機繊維材などの断熱材２７を裏張りして板状に形成されるものである。ここで、建物外壁１の外装材５と雨戸４の外装材１０とは同等の外観を有するものを用いることができ、好ましくは、建物外壁１の外装材５と雨戸４の外装材１０とを同じ外装材で形成することができる。これにより、雨戸４が開口部２に嵌り込んだときに、建物外壁１の部分と雨戸４の部分との区別がつきにくくなり、建物外壁１の美観を損ねないようにすることができる。外装材５、１０としては、例えば、セメントとパルプ繊維などを主成分とする窯業系の無機質板（セメント板）を用いることができ、その外面（屋外側面）には所望の凹凸模様や塗装による柄模様が形成されている。尚、開口部２の開口形状と雨戸４の外形形状とはほぼ同じである。
【００２０】
雨戸４は上記ガイドレール３に対して水平方向にスライド移動自在に取り付けられる。雨戸４のスライド機構としては自動車のスライドドアの原理を応用することができ、これにより、雨戸４の開閉時に音が少なくなる、ガイドレール３が建物外壁１の屋外側に露出しにくくなり目立たないなどのメリットがある。
【００２１】
具体的には、アッパーレール３ａと雨戸４とを連結するにあたっては、図３に示すように、アッパーレール３ａのガイド溝２９に上側ローラー３０を走行自在に設け、この上側ローラー３０と雨戸４の上部とを上側連結具３１で連結するようにしている。また、ロアレール３ｂと雨戸４とを連結するにあたっては、図４（ａ）に示すように、ロアレール３ｂの支持片２３上に下側ローラー３２を走行自在に設け、この下側ローラー３２と雨戸４の下部とを下側連結具３３で連結するようにしている。ここで、下側連結具３３の屋内側端部にはローラー軸３３ａが突設されており、このローラー軸３３ａを下側ローラー３２の中心に枢着している。また、下側連結具３３の屋外側端部には雨戸連結軸３３ｂが突設されており、雨戸連結軸３３ｂが雨戸４に対して枢着されている。さらに、センターレール３ｃと雨戸４とを連結するにあたっては、センターレール３ｃのガイド溝３６に中間ローラー３８を走行自在に設け、この中間ローラー３８と雨戸４の中央部とを中間連結具３９で連結するようにしている。尚、中間連結具３９及び中間ローラー３８は雨戸４のセンターレール３ｃに近い側端部に屋内側の方に向かって突出して設けることができる。
【００２２】
そして、本発明の雨戸装置で建物外壁１の開口部２を開閉するにあたっては次のようにして行う。まず、建物外壁１の開口部２を開放する場合は、雨戸４に開口部２の側方（センターレール３ｃの方）に向かう力を加える。これにより、上側ローラー３０がアッパーレール３ａを走行すると共に下側ローラー３２がロアレール３ｂを走行し、さらに中間ローラー３８がセンターレール３ｃを走行することになり、建物外壁１の屋外側において雨戸４がガイドレール３でガイドされながら開口部２から離れる方向に水平にスライド移動する。このようにして雨戸４を開口部２から離れる方向にスライド移動すると、建物外壁１の屋外側で開口部２の側方に雨戸４が位置して開口部２が開放された状態となる。
【００２３】
建物外壁１の開口部２を閉じる場合は、雨戸４に開口部２の方に向かう力を加える。これにより、上側ローラー３０がアッパーレール３ａを走行すると共に下側ローラー３２がロアレール３ｂを走行し、さらに中間ローラー３８がセンターレール３ｃを走行することになり、雨戸４がガイドレール３でガイドされながら開口部２に近づく方向に水平にスライド移動する。このようにして雨戸４を開口部２に近づく方向にスライド移動すると、開口部２の屋外側のほぼ真正面に雨戸４が位置する状態となる。この後、さらに雨戸４をスライド移動させると、上側ローラー３０がアッパーレール３ａの屈曲部２０に沿って走行することになり、これにより、雨戸４が徐々に屋内側へと引き込まれていく。そして、上側ローラー３０が保持部材２１を越えてアッパーレール３ａの端部に到達すると、これとほぼ同時に開口部２に雨戸４が嵌り込むことになる（図２（ｂ）参照）。このようにして開口部２を雨戸４で閉塞することができる。アッパーレール３ａの端部に到達した上側ローラー３０は保持部材２１、２１に係止されてその位置に保持され、所定の力を加えない限り、屈曲部２０から抜け出ないようになっている。従って、雨戸４が不用意に開くのを防止することができる。また、上側ローラー３０が屈曲部２０以外の部分を走行しているときには、下側ローラー３２と雨戸４とは下側連結具３３の屋内外方向の長さ分の間隔を保っているが、上側ローラー３０が屈曲部２０の部分を走行し始めて雨戸４の上部が屋内側へと移動していくと、これに伴って、雨戸４の下部も屋内側に徐々に移動していく。このように雨戸４の下部が屋内側に徐々に移動していくとき、下側ローラー３２と下側連結具３３はローラー軸３３ａを中心として互いに回動し、下側連結具３３と雨戸４も雨戸連結軸３３ｂを中心として互いに回動していく。そして、上側ローラー３０がアッパーレール３ａの端部に到達すると、下側ローラー３２もロアレール３ｂの端部に到達し、図４（ｂ）に示すように、開口部２に嵌め込まれた雨戸４が下側ローラー３２及びロアレール３ｂの上方に位置した状態となる。
【００２４】
開口部２を閉めた状態の雨戸４を開けるには、雨戸４を開口部２から屋外側方向へ移動させる力を加えることによって、保持部材２１による上側ローラー３０の係止を解除すると共に図２（ａ）に示すように、雨戸４を開口部２の屋外側に移動させる。この後、開口部２から側方（センターレール３ｃの方）に向かって開口部２から離れる方向の力を雨戸４に加えることにより、上記と同様に雨戸４を開口部２から離れる方向に水平にスライド移動し、開口部２を開放する。
【００２５】
本発明の雨戸装置では、雨戸４を開口部２に嵌め込んで閉めた状態で、建物外壁１と雨戸４との屋外面が面一となり、しかも、建物外壁１の外装材５と雨戸４の外装材１０とを同等のデザインのもので形成するので、建物外壁１と雨戸４との区別がつきにくくなる。また、建物外壁１の屋外面には戸袋やシャッターボックスなどの雨戸４の収納部分を設けないので、建物外壁１に外観の異なる部分や無駄な部材による出っ張り部分などの違和感が生じる部分が無くなる。
【図面の簡単な説明】
【００２６】
【図１】本発明の実施の形態の一例を示し、（ａ）は開口部を開放した状態を示す正面図、（ｂ）は雨戸を閉める途中の正面図である。
【図２】同上の（ａ）は開口部を開放した状態を示す断面図、（ｂ）は雨戸を閉めた状態を示す断面図である。
【図３】同上のアッパーレール、上側ローラー、上側連結具等を示す下面図である。
【図４】同上のロアレール、下側ローラー、下側連結具等を示し、（ａ）（ｂ）は上面図である。
【符号の説明】
【００２７】
１  建物外壁
２  開口部
３  ガイドレール
４  雨戸
５  外装材
７  化粧幕板
８  取付部材
９  水切り部材
１０  外装材
【図１】
2008248532.tif 000003
【図２】
2008248532.tif 000004
【図３】
2008248532.tif 000005
【図４】
2008248532.tif 000006